(57)【要約】      （修正有）【解決手段】固定基座と固定蓋板は共同で外殻体とステータを固定するのに用いられる。ステータ、ローターと伸縮軸管は互いに嵌設するようにステッピングモータが形成される。固定基座には他に一対の導引桿が設けられ、導引桿は伸縮軸管に穿設され、そして固定座と固定蓋板の間に固定されることにより、導引桿によって伸縮軸管の軸方向への移動を精確に導引することができる。位置決め導通座は固定基座または固定蓋板のどちらかに設置されるのに対し、位置決め導通部は伸縮軸管に設置され、軸方向で直接対応するように位置決め導通座と接触して導通することにより、停止の信号を光軸ステッピングモータまで出力させるため、伸縮軸管は再び移動しないように構成されている。【効果】伸縮構造の体積を縮小および簡単化にすることができると共に、位置決め導通座および位置決め導通部により伸縮軸管が移動を停止するのを確保することができる。【選択図】図１
0003111577.tif 000002
【実用新案登録請求の範囲】
【請求項１】
固定基座（１０）、固定蓋板（１３）、位置決め導通座（１２）、ステータ（２０）、ローター（３０）、伸縮軸管（４０）および位置決め導通部（４２）により構成される光軸ステッピングモータのローター停止の位置決め構造であって、固定基座（１０）には少なくとも一個の導引桿（１１０）が設けられ、固定蓋板（１３）には少なくとも一個の位置決め孔（１１’）が設けられ、位置決め孔（１１’）は導引桿（１１０）を固定するのに用いられ、位置決め導通座（１２）は固定基座（１０）または固定蓋板（１３）のどちらかに設置され、ステータ（２０）には磁極リングとコイル組が形成され、ローター（３０）には環状磁石が形成され、ローター（３０）はステータ（２０）の内部に嵌設され、伸縮軸管（４０）はローター（３０）の内部に嵌設されて組合せのユニットに形成され、伸縮軸管（４０）により相対的な伸長と収縮の作動を行うことができ、伸縮軸管（４０）には少なくとも一個の導引貫通孔（４００）が形成され、導引貫通孔（４００）は固定基座（１０）の導引桿（１１０）を収容するのに用いられ、固定基座（１０）の導引桿（１１０）によって伸縮軸管（４０）の導引貫通孔（４００）を制限し導引することにより、伸縮軸管（４０）は軸方向への移動をスムースに行うことができ、位置決め導通部（４２）は伸縮軸管（４０）に設置され、位置決め導通部（４２）は軸方向で直接対応するように位置決め導通座（１２）と接触して導通することにより、停止の信号を光軸ステッピングモータまで出力させ、その内に一旦伸縮軸管（４０）が予定の距離を移動するように行われた時、位置決め導通部（４２）は位置決め導通座（１２）に対応して接触するように形成され、すなわち位置決め導通座（１２）を導通するように形成されることにより、停止の信号を光軸ステッピングモータまで出力させるように形成されることを特徴とする光軸ステッピングモータのローター停止の位置決め構造。
【請求項２】
他に外殻体（１）が含まれ、外殻体（１）はステータ（２０）、ローター（３０）と伸縮軸管（４０）による組合せのユニットに嵌設するのに用いられることを特徴とする請求項１記載の光軸ステッピングモータのローター停止の位置決め構造。
【請求項３】
固定基座（１０）には少なくとも一個の位置決め孔（１１）が設けられ、位置決め孔（１１）は導引桿（１１０）を固定するのに用いられることを特徴とする請求項１記載の光軸ステッピングモータのローター停止の位置決め構造。
【請求項４】
外殻体（１）は固定基座（１０）と固定蓋板（１３）の間に固定されることを特徴とする請求項１記載の光軸ステッピングモータのローター停止の位置決め構造。
【請求項５】
位置決め導通座（１２）は一体になるように固定基座（１０）の端面に凹むように設けられることを特徴とする請求項１記載の光軸ステッピングモータのローター停止の位置決め構造。
【請求項６】
位置決め導通座（１２）は一体になるように固定蓋板（１３）の端面に凹むように設けられることを特徴とする請求項１記載の光軸ステッピングモータのローター停止の位置決め構造。
【請求項７】
位置決め導通部（４２）は一体になるように伸縮軸管（４０）の端面に設けられることを特徴とする請求項１記載の光軸ステッピングモータのローター停止の位置決め構造。
【請求項８】
位置決め導通座（１２）は一対の案内桿（１２０）により組成されるのに対し、位置決め導通部（４２）は導通柱からなると共に、伸縮軸管（４０）の縦方向に沿って延伸するように形成され、位置決め導通部（４２）の導通柱は位置決め導通座（１２）に対応するように係止して導通することができるように形成されることを特徴とする請求項１記載の光軸ステッピングモータのローター停止の位置決め構造。
【請求項９】
位置決め導通座（１２’）は一対の案内桿（１２０’）により組成され、案内桿（１２０’）には折り曲げ部が形成されるのに対し、伸縮軸管（４０）の端面には金属部が形成されることによって位置決め導通部（４２’）が形成され、一旦伸縮軸管（４０）が予定の距離を移動するように行われた時、位置決め導通座（１２’）の案内桿（１２０’）の折り曲げ部は確実に軸方向で位置決め導通部（４２’）の金属部に対応して接触するように形成されることを特徴とする請求項１記載の光軸ステッピングモータのローター停止の位置決め構造。
【請求項１０】
固定基座（１０）、固定蓋板（１３）、位置決め導通座（１２）、ステータ（２０）、ローター（３０）、伸縮軸管（４０）および位置決め導通部（４２）により構成される光軸ステッピングモータのローター停止の位置決め構造であって、位置決め導通座（１２）は固定基座（１０）または固定蓋板（１３）のどちらかに設置され、ローター（３０）はステータ（２０）の内部に嵌設され、伸縮軸管（４０）は相対的な伸長と収縮の作動を行うことができ、位置決め導通部（４２）は伸縮軸管（４０）の端面に設置され、その内に一旦伸縮軸管（４０）が予定の距離を移動するように行われた時、位置決め導通部（４２）は位置決め導通座（１２）に対応するように接触して導通するように形成されることにより、停止の信号を光軸ステッピングモータまで出力させるように形成されることを特徴とする光軸ステッピングモータのローター停止の位置決め構造。
【考案の詳細な説明】
【技術分野】
【０００１】
本考案は光軸ステッピングモータのローター停止の位置決め構造に関するもので、特に固定基座に少なくとも一個の位置決め導通座を設置するのに対し、伸縮軸管に少なくとも一個の位置決め導通部を設置し、位置決め導通部により固定基座の位置決め導通座を導通することにより、ローター停止の位置決め構造を停止する構造に係るものである。
【背景技術】
【０００２】
従来のステッピングモータの構造としては、ステッピングモータとレンズ座が掲示される。上記ステッピングモータには環状コイルステータおよび磁石リングローターが含まれる。上記レンズ座には一対の押し止めリングが形成され、上記押し止めリングはステッピングモータの磁石リングローターに対応するように設置され、上記押し止めリングにより磁石リングローターの軸方向への移動を制限することができるようにとしたものがある（例えば、特許文献１を参照）。
【０００３】
また、従来のカメラのレンズの構造としては、図６に示すようにレンズ基座９１、レンズ移動平台９２、ステッピングモータ９３および光遮断器９４が含まれる。レンズ基座９１とレンズ移動平台９２は互いに軸方向で嵌設するように形成されることにより、レンズ移動平台９２はステッピングモータ９３によって作用するように形成されるため、レンズ基座９１に対して相対的な軸方向への移動（伸展または収縮）が生じられ、すなわちレンズ移動平台９２のズームが行われる。その他に、光遮断器９４はレンズ移動平台９２の片側の予定位置に設置されると共に、ステッピングモータ９３まで電気的連接するように形成される。また、レンズ移動平台９２がレンズ基座９１に相対して軸方向で収縮した時、光遮断器９４はレンズ移動平台９２が予定の検知範囲を通過したか否かを検知する。一旦レンズ移動平台９２が光遮断器９４の検知範囲を通過した時、光遮断器９４は停止の信号をステッピングモータ９３まで出力させることにより、ステッピングモータ９３の運転を停止させる。そのため、ステッピングモータ９３によりレンズ移動平台９２が内部の死点にぶつかってしまうのを避けることができるようにとしたものがある。
【特許文献１】中華民国公告番号第５５６８５１号
【考案の開示】
【考案が解決しようとする課題】
【０００４】
上記のような従来のステッピングモータの構造においては、上記レンズ座には一対の押し止めリングまたはその他の位置決め部材が設置され、上記押し止めリングにより磁石リングローターの軸方向への移動を制限することができるが、収縮時において上記磁石リングローターは相変わらず内部の死点（内映像摂取機構）にぶつかってしまうという問題点を有している。そのため、上記の従来のステッピングモータの構造の磁石リングローターには停止の位置決め構造を適当に設置しなければならず、上記停止の位置決め構造は上記磁石リングローターを確実に停止するのに用いられるため、上記磁石リングローターが内部の死点にぶつかってしまって、部材が壊れてしまうのを避けることができる。
【０００５】
また、上記のような従来のカメラのレンズの構造においては、レンズ基座９１とレンズ移動平台９２にはステッピングモータ９３を設置する他に、光遮断器９４を増設しなければならないため、体積が増えて製造コストが高くなるという問題点があった。言い換えれば、レンズ基座９１とレンズ移動平台９２には光遮断器９４を増設しなければならないため、このような構造では体積が比較的大きいカメラにしか適用できず、体積が比較的小さいミニ型のカメラ付き携帯電話の伸縮レンズには適用できない。簡単に言えば、従来のカメラ構造のステッピングモータをさらに改良しなければ、ミニ型のカメラ付き携帯電話の伸縮レンズには適用できないと共に、製造コストを低く抑えることができないという問題点があった。
【０００６】
本考案はこのような問題点に鑑みて考案したものであって、その目的とするところは、固定基座において少なくとも一個の位置決め導通座が設置されるのに対し、伸縮軸管において少なくとも一個の位置決め導通部が設置され、位置決め導通部は固定基座の位置決め導通座を導通するのに用いられることにより、停止の信号をステッピングモータまで出力させることができる。固定基座と伸縮軸管にはそれぞれ一体になるように位置決め導通座と位置決め導通部が設置されることにより、体積を縮小して製造コストを低く抑えることができる光軸ステッピングモータのローター停止の位置決め構造を提供しようとするものである。
【０００７】
本考案の第一の目的は、固定基座において一体になるように少なくとも一個の位置決め導通座が設置されるのに対し、伸縮軸管において一体になるように少なくとも一個の位置決め導通部が設置され、位置決め導通部は固定基座の位置決め導通座を導通するのに用いられることにより、伸縮構造の体積を縮小および簡単化にすることができると共に、伸縮軸管が移動を停止するのを確保することができる光軸ステッピングモータのローター停止の位置決め構造を提供しようとするものである。
【０００８】
本考案の第二の目的は、固定基座において少なくとも一個の位置決め導通座しか設置されないのに対し、伸縮軸管において少なくとも一個の位置決め導通部しか設置されず、位置決め導通部は軸方向で直接対応するように位置決め導通座と係止して導通することにより、ローターを確実に位置決めすることができると共に、製造コストを低く抑えることができる光軸ステッピングモータのローター停止の位置決め構造を提供しようとするものである。
【課題を解決するための手段】
【０００９】
上記目的を達成するために、本考案による光軸ステッピングモータのローター停止の位置決め構造は、下記のようになるものである。すなわち、
固定基座、固定蓋板、位置決め導通座、ステータ、ローター、伸縮軸管および位置決め導通部により構成される。固定基座には少なくとも一個の導引桿が設けられる。固定蓋板には少なくとも一個の位置決め孔が設けられ、位置決め孔は導引桿を固定するのに用いられる。位置決め導通座は固定基座または固定蓋板のどちらかに設置される。ステータには磁極リングとコイル組が形成される。ローターには環状磁石が形成され、ローターはステータの内部に嵌設される。伸縮軸管はローターの内部に嵌設されて組合せのユニットに形成され、伸縮軸管により相対的な伸長と収縮の作動を行うことができ、伸縮軸管には少なくとも一個の導引貫通孔が形成され、導引貫通孔は固定基座の導引桿を収容するのに用いられ、固定基座の導引桿によって伸縮軸管の導引貫通孔を制限し導引することにより、伸縮軸管は軸方向への移動をスムースに行うことができる。位置決め導通部は伸縮軸管に設置され、位置決め導通部は軸方向で直接対応するように位置決め導通座と接触して導通することにより、停止の信号を光軸ステッピングモータまで出力させる。その内に一旦伸縮軸管が予定の距離を移動するように行われた時、位置決め導通部は位置決め導通座に対応して接触するように形成され、すなわち位置決め導通座を導通するように形成されることにより、停止の信号を光軸ステッピングモータまで出力させるように形成される。
【００１０】
本考案による光軸ステッピングモータのローター停止の位置決め構造は、他に外殻体が含まれ、外殻体はステータ、ローターと伸縮軸管による組合せのユニットに嵌設するのに用いられることもできる。また、固定基座には少なくとも一個の位置決め孔が設けられ、位置決め孔は導引桿を固定するのに用いられることもできる。また、外殻体は固定基座と固定蓋板の間に固定されることもできる。また、位置決め導通座は一体になるように固定基座の端面に凹むように設けられることもできる。また、位置決め導通座は一体になるように固定蓋板の端面に凹むように設けられることもできる。また、位置決め導通部は一体になるように伸縮軸管の端面に設けられることもできる。また、位置決め導通座は一対の案内桿により組成されるのに対し、位置決め導通部は導通柱からなると共に、伸縮軸管の縦方向に沿って延伸するように形成され、位置決め導通部の導通柱は位置決め導通座に対応するように係止して導通することもできる。また、位置決め導通座は一対の案内桿により組成され、案内桿には折り曲げ部が形成されるのに対し、伸縮軸管の端面には金属部が形成されることによって位置決め導通部が形成され、一旦伸縮軸管が予定の距離を移動するように行われた時、位置決め導通座の案内桿の折り曲げ部は確実に軸方向で位置決め導通部の金属部に対応して接触するように形成されることもできる。
【００１１】
また、本考案による光軸ステッピングモータのローター停止の位置決め構造は、固定基座、固定蓋板、位置決め導通座、ステータ、ローター、伸縮軸管および位置決め導通部により構成される。位置決め導通座は固定基座または固定蓋板のどちらかに設置される。ローターはステータの内部に嵌設される。伸縮軸管は相対的な伸長と収縮の作動を行うことができる。位置決め導通部は伸縮軸管の端面に設置され、その内に一旦伸縮軸管が予定の距離を移動するように行われた時、位置決め導通部は位置決め導通座に対応するように接触して導通するように形成されることにより、停止の信号を光軸ステッピングモータまで出力させるように形成される。
【考案の効果】
【００１２】
本考案の光軸ステッピングモータのローター停止の位置決め構造によれば、固定基座において一体になるように少なくとも一個の位置決め導通座が設置されるのに対し、伸縮軸管において一体になるように少なくとも一個の位置決め導通部が設置され、位置決め導通部は固定基座の位置決め導通座を導通するのに用いられることにより、伸縮構造の体積を縮小および簡単化にすることができると共に、伸縮軸管が移動を停止するのを確保することができるという利点がある。
【００１３】
本考案の光軸ステッピングモータのローター停止の位置決め構造によれば、固定基座において少なくとも一個の位置決め導通座しか設置されないのに対し、伸縮軸管において少なくとも一個の位置決め導通部しか設置されず、位置決め導通部は軸方向で直接対応するように位置決め導通座と係止して導通することにより、ローターを確実に位置決めすることができると共に、製造コストを低く抑えることができるという利点がある。
【考案を実施するための最良の形態】
【００１４】
本考案の実施の形態について、以下、図面を参照して説明する。
【実施例１】
【００１５】
図１、２、３、４を参照すると、本考案の実施例１の光軸ステッピングモータのローター停止の位置決め構造には外殻体１、固定基座１０、固定蓋板１３、位置決め導通座１２、ステータ２０、ローター３０、伸縮軸管４０および位置決め導通部４２が含まれる。ステータ２０、ローター３０と伸縮軸管４０を順序よく嵌設によって組合せのユニットが形成されるため、ステッピングモータが構成され、上記組合せのユニットは外殻体１の内部に収容される。その他に、伸縮軸管４０は伸縮の構造を構成すると共に、ステッピングモータの回転により相対的に伸長および収縮する作動が行われるため、適当なズームを行うことができる。
【００１６】
再び図１を参照すると、構造上において外殻体１は円柱の管体に属するもので、モータの部材を保護するのに用いられる。外殻体１の構造は好ましくは一般の絶縁材料により製成されると共に、外殻体１はステッピングモータとその伸縮機構の作動を支持できるような強度を有するように形成される。
【００１７】
再び図１、２を参照すると、構造上において固定基座１０と固定蓋板１３は外殻体１の両側に隔てるように設置される。固定基座１０には複数個の位置決め孔１１が設けられるのに対し、固定蓋板１３には複数個の位置決め孔１１’が設けられ、複数個の位置決め孔１１’は固定基座１０の複数個の位置決め孔１１に対応するように形成される。固定基座１０には他に複数個の導引桿１１０が設けられ、導引桿１１０の両端は固定基座１０の位置決め孔１１と固定蓋板１３の位置決め孔１１’に嵌設される。
【００１８】
再び図１、２、３を参照すると、固定基座１０の導引桿１１０は伸縮軸管４０に穿設されると共に、固定基座１０と固定蓋板１３の間に固定される。伸縮軸管４０は導引桿１１０に沿って軸方向への移動を行わなければならないため、導引桿１１０により伸縮軸管４０の軸方向への移動（伸長または収縮）を精確に導引することができるため、ズームの作動を行うことができる。
【００１９】
再び図１、２を参照すると、本考案の実施例１の位置決め導通座１２は一体になるように固定基座１０または固定蓋板１３のどちらかの端面に凹むように設けられるため、余分な配置の空間を占めることがない。位置決め導通座１２は一対の案内桿１２０により組成されると共に、金属により製成される。案内桿１２０が導通しない時、位置決め導通座１２は停止の信号を発しない。一旦案内桿１２０が導通した時、位置決め導通座１２は停止の信号をステッピングモータまで発生させることにより、運転を停止することができる。
【００２０】
再び図１を参照すると、構造上においてステータ２０の構造は凡そ一個の磁極リング（図示せず）と一個のコイル組（図示せず）により組成され、上記コイル組の磁気エネルギーは上記磁極リングによって交番磁界を生じることにより、ローター３０が回転するのを駆動することができるため、伸縮軸管４０は軸方向への伸長または収縮を行うことができる。その他に、ステータ２０には複数個の組立柱（図示せず）が突出するように設けられる。空間配置上において上記組立柱はそれぞれステータ２０の両側に配置される。組立時において上記組立柱により固定基座１０と固定蓋板１３を組み立てることができるため、固定基座１０と固定蓋板１３は共同で外殻体１とステータ２０を固定することができる。
【００２１】
再び図１を参照すると、構造上においてローター３０の外周縁には環状磁石（図示せず）が形成され、上記環状磁石は永久磁石の複数個の磁極により組成され、上記環状磁石はステータ２０の磁極リングを誘導することができるため、ステータ２０によりローター３０が回転するのを励磁し駆動することができる。
【００２２】
再び図１を参照すると、構造上において伸縮軸管４０には一個のレンズユニット４１と複数個の導引貫通孔４００が設けられる。導引貫通孔４００は伸縮軸管４０の本体の両端を直接貫穿するように形成されるため、余分な配置の空間を占めることがない。レンズユニット４１は伸縮軸管４０の一端に組み立てられ、導引貫通孔４００は固定基座１０の導引桿１１０を収容するのに用いられる。伸縮軸管４０はローラー３０の内部に螺合し嵌設されることにより、ステータ２０、ローラー３０と伸縮軸管４０は互いに嵌合してステッピングモータとして形成することができる。
【００２３】
図２を参照すると、外殻体１の内部においてローラー３０が回転の作動を行った時、ローラー３０の内ねじは伸縮軸管４０の外ねじに当接し押圧することにより、伸縮軸管４０が軸方向への移動を行うのを駆動することができ、すなわち伸縮軸管４０は軸方向に沿って前進と後退の作動を行うことができる。
【００２４】
再び図２、３を参照すると、伸縮軸管４０は導引桿１１０に沿って軸方向への移動を行わなければならないため、導引桿１１０により伸縮軸管４０の軸方向への移動（伸長または収縮）を精確に導引することができるため、ズームの作動を行うことができる。
【００２５】
再び図１、２を参照すると、本考案の実施例１の位置決め導通部４２は一体になるように伸縮軸管４０の端面に設置されることにより、余分な配置の空間を占めることがない。位置決め導通部４２は導通柱からなると共に、伸縮軸管４０の縦方向に沿って延伸するように形成され、位置決め導通部４２は金属により製成される。位置決め導通部４２は軸方向で位置決め導通座１２に対応するように形成され、位置決め導通部４２は位置決め導通座１２の案内桿１２０を導通するのに用いられる。一旦位置決め導通部４２が位置決め導通座１２の案内桿１２０に接触（係止）し導通した時、位置決め導通座１２は停止の信号をステッピングモータまで発生させることにより、運転を停止することができるため、伸縮軸管４０は再び移動しないように形成される。
【００２６】
再び図２を参照すると、位置決め導通部４２が位置決め導通座１２の案内桿１２０に接触していない時、ローター３０が回転の作動を行うのを許容することができるため、伸縮軸管４０とレンズユニット４１は軸方向に沿って前進および後退の作動を行うように形成され、すなわちレンズユニット４１は伸長および収縮の作動を行うように形成される。
【００２７】
再び図３、４を参照すると、レンズユニット４１がズームを行う時、伸縮軸管４０とレンズユニット４１は持続的に軸方向への移動を行うことができる。一旦伸縮軸管４０とレンズユニット４１が予定の距離を移動した時、位置決め導通部４２は位置決め導通座１２の案内桿１２０に対応するように係止し導通するように形成され、すなわち位置決め導通座１２を導通する。この時、位置決め導通座１２は停止の信号をステッピングモータまで発させて運転を停止することができることにより、伸縮軸管４０は再び移動しないように形成されるため、伸縮軸管４０とレンズユニット４１が内部の死点にぶつかるのを避けることができる。
【実施例２】
【００２８】
図５を参照すると、本考案の実施例２の光軸ステッピングモータの構造は実施例１の構造とは対応するように設置され、本考案の各実施例の差異を分かり易くするため、両者の同じ部分の部材は同じ符号を採用して標示されている。また、本考案の実施例２の部分的な技術内容は従来の説明の内容に掲示されているため、ここでは参考にして再び詳細に説明しない。
【００２９】
再び図５を参照すると、実施例１と比較すると、本考案の実施例２の位置決め導通座１２’の案内桿１２０’には折り曲げ部が形成されるのに対し、伸縮軸管４０の端面には金属部が形成されるため、位置決め導通部４２’が形成される。一旦伸縮軸管４０とレンズユニット４１が予定の距離を移動した時、位置決め導通座１２’の案内桿１２０’の折り曲げ部は確実に位置決め導通部４２’の金属部に対応して接触することにより、ステッピングモータの作動の信頼性を高めることができる。
【産業上の利用可能性】
【００３０】
上述の如く、従来のステッピングモータの構造によれば、ステッピングモータの磁石リングローターには停止の位置決め装置を設置しなければならず、上記停止の位置決め装置により磁石リングローターを確実に停止させることができるため、磁石リングローターが内部の死点にぶつかるのを避けることができる。それに反して、本考案の位置決め導通部４２と位置決め導通座１２により伸縮軸管４０とレンズユニット４１が内部の死点にぶつかるのを確実に防止することができる。
【００３１】
また、従来のカメラのレンズの構造によれば、他に光遮断器９４を増設しなければならないため、体積が増えて製造コストが高くなるという問題点があったが、それに反して、本考案の位置決め導通座１２は一体になるように固定基座１０または固定蓋板１３のどちらかに設置することができ、さらに位置決め導通部４２は一体になるように伸縮軸管４０の端面に設置することができるため、伸縮構造の体積を縮小および簡単化にすることができると共に、伸縮軸管４０が移動を停止するのを確保することができる。
【００３２】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００３３】
【図１】本考案の実施例１の光軸ステッピングモータのローター停止の位置決め構造による分解斜視図である。
【図２】本考案の実施例１の光軸ステッピングモータのローター停止の位置決め構造による組み立てられた状態の断面図である。
【図３】本考案の実施例１の光軸ステッピングモータがローターの回動を停止した状態の断面図である。
【図４】本考案の実施例１の光軸ステッピングモータのローター停止の位置決め構造による組み立てられた状態の斜視図である。
【図５】本考案の実施例２の光軸ステッピングモータのローター停止の位置決め構造による組み立てられた状態の斜視図である。
【図６】従来のカメラのレンズ構造の斜視図である。
【符号の説明】
【００３４】
１          外殻体
１０        固定基座
１１        位置決め孔
１１０      導引桿
１１’      位置決め孔
１２        位置決め導通座
１２０      案内桿
１２’      位置決め導通座
１２０’    案内桿
１３        固定蓋板
２０        ステータ
３０        ローター
４０        伸縮軸管
４００      導引貫通孔
４１        レンズユニット
４２        位置決め導通部
４２’      位置決め導通部
９１        レンズ基座
９２        レンズ移動平台
９３        ステッピングモータ
９４        光遮断器
【図１】
0003111577.tif 000003
【図２】
0003111577.tif 000004
【図３】
0003111577.tif 000005
【図４】
0003111577.tif 000006
【図５】
0003111577.tif 000007
【図６】
0003111577.tif 000008